(57)【要約】      （修正有）【課題】２つの送りモードを有するとともに紙ズレの発生を防止可能のカード送り機能付きの紙送り機構を提供する。【解決手段】送り通路１１と、送り通路に取り付けられる少なくとも１つのカード送りローラ１２と、カード送りローラと同軸に設けられる少なくとも１つの紙送りローラ１３と、カード送りローラに接触する少なくとも１つのカードアイドルローラ１２ａと、紙送りローラに接触する少なくとも１つの紙アイドルローラ１３ａと、送り通路の上側でカードアイドルローラのローラ軸に連結されるとともに、変位ストロークを有する少なくとも１つの弾性部材２０と、変位ストロークを制御可能な少なくとも１つのストローク制限部材４０と、を備え、ストローク制限部材が変位ストロークを仕切りしない場合、変位ストロークの末端はカードアイドルローラに接触し、ストローク制限部材が変位ストロークを仕切りした場合、変位ストロークの末端はカードアイドルローラに接触しない。【選択図】図１
0003233447.tif 000002
【実用新案登録請求の範囲】
【請求項１】
カード送り機能付きの紙送り機構であって、
送り通路と、
前記送り通路に取り付けられる少なくとも１つのカード送りローラと、
前記カード送りローラと同軸に設けられる少なくとも１つの紙送りローラと、
前記カード送りローラに接触する少なくとも１つのカードアイドルローラと、
前記紙送りローラに接触する少なくとも１つの紙アイドルローラと、
前記送り通路の上側で前記カードアイドルローラのローラ軸に連結されるとともに、変位ストロークを有する少なくとも１つの弾性部材と、
変位ストロークを制限するように制御可能な少なくとも１つのストローク制限部材と、
を備え、
前記ストローク制限部材が前記変位ストロークを縮めない場合、前記カードアイドルローラは前記変位ストローク内に位置し、前記ストローク制限部材が前記変位ストロークを縮める場合、前記カードアイドルローラは前記変位ストローク外に位置する、
ことを特徴とするカード送り機能付きの紙送り機構。
【請求項２】
前記弾性部材は、
前記送り通路の一方に固定されるとともに、前記カード送りローラに向かう方向付け孔を有する方向付け部材に連結されており、
前記弾性部材は、
前記方向付け孔内に摺動可能に設けられるスライドピンと、
前記スライドピンの前記カードアイドルローラに向かう一方に固定されるアイドルローラ押圧ブロックと、
前記スライドピンの前記カードアイドルローラから離隔する一方に固定される楔形ブロックと、
前記スライドピンに覆い被さるとともに、一方が前記方向付け部材に当接し、他方が前記アイドルローラ押圧ブロックに当接する圧縮バネと、
を更に有する、
ことを特徴とする請求項１に記載のカード送り機能付きの紙送り機構。
【請求項３】
前記方向付け部材はガイド溝を更に有し、
前記ストローク制限部材は、
前記方向付け部材と前記楔形ブロックとの間に摺動可能に設けられる楔形スライダと、
前記ストローク制限部材を案内ストロークに沿って誘導しつつ摺動させるよう前記ガイド溝内にフィットしつつ収容されるガイドスライダと、
を有し、
前記案内ストロークは、押し上げ端と解放端と、を有する、
ことを特徴とする請求項２に記載のカード送り機能付きの紙送り機構。
【請求項４】
前記方向付け部材は２つの位置付け切欠きを更に有し、
前記２つの位置付け切欠きはそれぞれ前記押し上げ端と前記解放端に設けられ、前記ストローク制限部材は位置付け板バネを有し、前記位置付け板バネは前記２つの位置付け切欠きのいずれか内にフィットしつつ係止される、
ことを特徴とする請求項３に記載のカード送り機能付きの紙送り機構。
【考案の詳細な説明】
【技術分野】
【０００１】
本考案は、カード送り機能付きの紙送り機構に関し、特に２つの送りモード（カード、紙）を有するとともに紙ズレの発生を防止可能な紙送り機構に関する。
【背景技術】
【０００２】
カードと通常の用紙は厚さと重さが共に異なるため、携帯スキャナは、全体のサイズが嵩張らないよう異なる厚さ及び重さを有する対象物に対して送りを行うために、通常、複数組の送りローラが設けられている。図８及び９に示した従来の携帯スキャナのように、前記携帯スキャナは、送り通路内に設けられる紙送りローラ組５１以外、前記送り通路の一方にカード送りローラ組５２が更に設けられる。
【０００３】
そのうち、前記カード送りローラ組５２のアイドルローラ５３は、紙送りローラ組５１のアイドルローラ５３より大きい弾性係数を有するため、カードを送りやすいようカード５４に対してより大きい垂直方向挟持力を付勢する。前記携帯スキャナは、２組の送りローラ組を設けることにより、同一の送り通路でカード５４と用紙５５を送ることができるうえに、空間の利用率を高める。しかしながら、図１０に示すように、通常の用紙５５を送る際に、用紙５５は、前記カード送りローラ組５２と前記紙送りローラ組５１と同時に接触することから、両側の受ける力にバラツキが生じ紙ズレになる。よって、２つの送りモードを有するとともに紙ズレの発生を防止可能な紙送り機構の提供が必要となる。
【考案の概要】
【考案が解決しようとする課題】
【０００４】
本考案は、２つの送りモードを有するとともに紙ズレの発生を防止可能の紙送り機構を提供することを目的とする。
【課題を解決するための手段】
【０００５】
上記目的を実現するために、本考案のカード送り機能付きの紙送り機構は、送り通路と、送り通路に取り付けられる少なくとも１つのカード送りローラと、前記カード送りローラと同軸に設けられる少なくとも１つの紙送りローラと、前記カード送りローラに接触する少なくとも１つのカードアイドルローラと、前記紙送りローラに接触する少なくとも１つの紙アイドルローラと、前記送り通路の上側で前記カードアイドルローラのローラ軸に連結されるとともに、変位ストロークを有する少なくとも１つの弾性部材と、前記変位ストロークを制御可能な少なくとも１つのストローク制限部材と、を備え、前記ストローク制限部材が前記変位ストロークを仕切りしない場合、前記変位ストロークの末端は前記カードアイドルローラに接触し、前記ストローク制限部材が前記変位ストロークを仕切りした場合、前記変位ストロークの末端は前記カードアイドルローラに接触しないことを特徴とする。
【０００６】
好ましい実施例において、前記弾性部材は、前記送り通路の一方に固定されるとともに、前記カード送りローラに向かう方向付け孔を有する方向付け部材に連結されており、前記弾性部材は、前記方向付け孔内に摺動可能に設けられるスライドピンと、前記スライドピンの前記カードアイドルローラに向かう一方に固定されるアイドルローラ押圧ブロックと、前記スライドピンの前記カードアイドルローラから離隔する一方に固定される楔形ブロックと、前記スライドピンに覆い被さるとともに、一方が前記方向付け部材に当接し、他方が前記アイドルローラ押圧ブロックに当接する圧縮バネと、を更に有する。
【０００７】
好ましい実施例において、前記方向付け部材はガイド溝を更に有し、前記ストローク制限部材は、前記方向付け部材と前記楔形ブロックとの間に摺動可能に設けられる楔形スライダと、前記ストローク制限部材を案内ストロークに沿って誘導しつつ摺動させるよう前記ガイド溝内にフィットしつつ収容されるガイドスライダと、を有し、前記案内ストロークは、押し上げ端と解放端と、を有する。
【０００８】
好ましい実施例において、前記方向付け部材は２つの位置付け切欠きを更に有し、前記２つの位置付け切欠きはそれぞれ前記押し上げ端と前記解放端に設けられ、前記ストローク制限部材は位置付け板バネを有し、前記位置付け板バネは前記２つの位置付け切欠きのいずれか内にフィットしつつ係止される。
【図面の簡単な説明】
【０００９】
【図１】本考案に係る紙送り機構の分解図である。
【図２】本考案に係る紙送り機構の、ストローク制限部材が押し上げ端に移動した際の平面図である。
【図３】図２におけるＣ部分の一部拡大図である。
【図４】本考案に係る紙送り機構の一部断面図である。
【図５】図２におけるＡ−Ａ線の断面図である。
【図６】本考案に係る紙送り機構の、前記ストローク制限部材が解放端に移動した際の平面図である。
【図７】図６におけるＢ−Ｂ線の断面図である。
【図８】従来の紙送り機構の斜視図である。
【図９】従来の紙送り機構がカード送りローラ組によりカードを送る際を示す図である。
【図１０】送る力のバラツキによる、従来の紙送り機構に生じたズレを示す図である。
【考案を実施するための形態】
【００１０】
以下、本考案の技術的内容、構造や特徴、達する目的、奏する効果を詳述するよう、実施例を挙げつつ図面を照らして詳しく説明する。
【００１１】
図１ないし４を参照されたい。本考案のカード送り機能付きの紙送り機構１０は、送り通路１１と、送り通路１１に取り付けられる２つのカード送りローラ１２と、前記カード送りローラ１２と同軸に設けられる２つの紙送りローラ１３と、前記カード送りローラ１２に接触する２つのカードアイドルローラ１２ａと、前記紙送りローラ１３に接触する２つの紙アイドルローラ１３ａと、を備える。前記カードアイドルローラ１２ａのローラ軸には、それぞれ弾性部材２０が連結されつつ設けられることで、前記カード送りローラ１２への垂直方向押圧力が付勢される。本実施において、前記弾性部材２０は、前記送り通路１１の上側で前記カードアイドルローラ１２ａのローラ軸に連結される。また、前記弾性部材２０は、方向付け部材３０に連結されており、その方向付け部材３０には、前記送り通路１１の上側に固定され、前記カード送りローラ１２に向かう方向付け孔３１が設けられている。更に、前記弾性部材２０は、前記方向付け孔３１内に摺動可能に設けられるスライドピン２１と、前記スライドピン２１の前記カードアイドルローラ１２ａに向かう一方に固定され、前記カードアイドルローラ１２ａのローラ軸にフィットするＶ形溝２３が設けられるアイドルローラ押圧ブロック２２と、前記スライドピン２１の前記カードアイドルローラ１２ａから離隔する一方に固定される楔形ブロック２４と、前記スライドピン２１に覆い被さるとともに、一方が前記方向付け部材３０に当接し、他方が前記アイドルローラ押圧ブロック２２に当接する圧縮バネ２５と、を有する。前記スライドピン２１の摺動可能ストローク２６の向けは前記方向付け孔３１により決定され、そのストロークの長さは前記楔形ブロック２４と前記アイドルローラ押圧ブロック２２との間に制限される。前記弾性部材２０の変位ストローク２７は、そのストロークの長さが前記方向付け部材３０と前記アイドルローラ押圧ブロック２２との間に更に制限される。そのため、前記スライドピン２１が上へ押し上げられれば押し上げられるほど、前記変位ストローク２７は一層縮むようになる。また、前記カードアイドルローラ１２ａが前記変位ストローク２７内に位置する場合、前記圧縮バネ２５は前記アイドルローラ押圧ブロック２２に当接することから、前記アイドルローラ押圧ブロック２２は、前記カードアイドルローラ１２ａに前記カード送りローラ１２への垂直方向挟持力を付勢する。更に、カードアイドルローラ１２ａのローラ軸は前記Ｖ形溝２３内にフィットしつつ収容されるため、前記アイドルローラ押圧ブロック２２と前記カードアイドルローラ１２ａが横方向へずれてしまうことを防止する。
【００１２】
用紙を送る際に、前記カード送りローラ１２と紙送りローラ１３の、前記カードアイドルローラ１２ａと前記紙アイドルローラ１３ａとの同時接触による前記用紙両側の受ける力のバラツキを防止するために、本考案の紙送り機構１０は、ストローク制限部材４０を更に備える。前記ストローク制限部材４０は楔形スライダ４１を有し、前記楔形スライダ４１は、前記方向付け部材３０に摺動可能に設けられるとともに、前記楔形ブロック２４の下に摺動しつつ同ブロック２４に当接することで前記弾性部材２０の変位ストローク２７を縮める。図２、図５ないし７に示すように、前記ストローク制限部材４０が前記変位ストローク２７を縮めない場合、前記カードアイドルローラ１２ａは前記変位ストローク２７内に位置し、前記ストローク制限部材４０が前記変位ストローク２７を縮めた場合、前記カードアイドルローラ１２ａは前記変位ストローク２７の範囲外に位置する。
【００１３】
再び図１を参照されたい。本実施例では、前記方向付け部材３０の天部には、ガイドスライダ３２と２つの位置付け切欠き３３とが設けられる。前記ストローク制限部材４０の底部には、ガイド溝４２と位置付け板バネ４３が備えられる。前記ガイドスライダ３２は、前記ストローク制限部材４０を案内ストローク４４に沿って案内しつつ摺動させるように前記ガイド溝４２内にフィットしつつ収容される。前記位置付け板バネ４３は、前記位置付け切欠き３３のうちの１つにフィットしつつ係止される。前記案内ストローク４４は、押し上げ端３４と解放端３５とを有する。前記２つの位置付け切欠き３３はそれぞれ前記押し上げ端３４と前記解放端３５に設けられる。
【００１４】
図２及び５を参照されたい。前記ストローク制限部材４０が前記押し上げ端３４に移動した場合、前記楔形スライダ４１は、前記楔形ブロック２４の下に移動することで同ブロック２４を押し上げることから、前記スライドピン２１を押し上げて前記変位ストローク２７を縮める。このようにして、前記カードアイドルローラ１２ａは前記変位ストローク２７の範囲外に位置するようになる。再び図６及び７を参照されたい。前記ストローク制限部材４０が前記解放端３５に移動した場合、前記楔形スライダ４１は、前記楔形ブロック２４の下から離隔することで同ブロック２４を解放することから、前記スライドピン２１を下げる。この際、前記変位ストローク２７全体の長さが伸び、前記変位ストローク２７の下端が前記カードアイドルローラ１２ａに接触するようになる。
【００１５】
上記のとおり、本考案の紙送り機構１０の前記ストローク制限部材４０は、弾性部材２０の変位ストローク２７の長さを調整することができるため、前記カードアイドルローラ１２ａによる前記カード送りローラ１２への垂直方向挟持力を制御する。これにより、同一の送り通路１１で用紙とカードを送りつつ用紙を送る際に紙ズレの発生を防止するという目的を達成した。
【符号の説明】
【００１６】
１０      紙送り機構
１１      送り通路
１２      カード送りローラ
１３      紙送りローラ
１２ａ    カードアイドルローラ
１３ａ    紙アイドルローラ
２０      弾性部材
２１      スライドピン
２２       アイドルローラ押圧ブロック
２３      Ｖ形溝
２４      楔形ブロック
２５      圧縮バネ
２６      摺動可能ストローク
２７       変位ストローク
３０      方向付け部材
３１      方向付け孔
３２      ガイドスライダ
３３      位置付け切欠き
３４      押し上げ端
３５      解放端
４０      ストローク制限部材
４１      楔形スライダ
４２      ガイド溝
４３      位置付け板バネ
４４      案内ストローク
５１      紙送りローラ組
５２      カード送りローラ組
５３      カードアイドルローラ、紙アイドルローラ
５４      カード
５５      用紙
【図１】
0003233447.tif 000003
【図２】
0003233447.tif 000004
【図３】
0003233447.tif 000005
【図４】
0003233447.tif 000006
【図５】
0003233447.tif 000007
【図６】
0003233447.tif 000008
【図７】
0003233447.tif 000009
【図８】
0003233447.tif 000010
【図９】
0003233447.tif 000011
【図１０】
0003233447.tif 000012